(57)【特許請求の範囲】
【請求項１】
植物を巻きつかせた線状物を支持する農園芸用支柱であって、
植物を巻きつかせる第１線状物を収納する収納部が、正面視、支柱の中心軸をはさんで対向するように２つ設けられるとともに、他の支柱とを繋げる第２線状物を結びつける凹溝が支柱の側面に設けられ、
前記収納部には、前記第１線状物を収納する深溝部と、該深溝部に前記第１線状物を導入するガイド部と、前記深溝部に収納された前記第１線状物の脱落を防止する突起部と、が少なくとも設けられた農園芸用支柱。
【請求項２】
前記収納部は、正面視、Γ（ガンマ）字状であり、前記ガイド部の天面は平面であることを特徴とする請求項１記載の農園芸用支柱。
【請求項３】
前記凹溝は、上面視、前記第１線状物の支持方向に対して、略直交するように形成されていることを特徴とする請求項１又は２記載の農園芸用支柱。
【請求項４】
前記収納部と前記凹溝とが少なくとも設けられた熱可塑性樹脂からなる頭部と、
合成樹脂からなる中空パイプと、
合成樹脂からなる尖塔部と、
からなる請求項１〜３のいずれか一項に記載の農園芸用支柱。
【発明の詳細な説明】
【技術分野】
【０００１】
本発明は、農園芸用支柱に関する。より詳しくは、長芋等の蔓性植物等の栽培に供する支柱に関する。
【背景技術】
【０００２】
近年、農園芸において、支柱を地面に所定間隔で立設して、併設された支柱に紐やロープ類やネット類といった線状物等を張って植物栽培を行う農園芸用支柱が用いられている。例えば、長芋等の蔓性植物をその線状物に巻きつかせて栽培すること等が行われている。
【０００３】
この場合、蔓性植物を巻きつかせた線状物の荷重等によって支柱自身が傾倒したり撓んだりする現象が起こりうる。これに関して、出願人は、傾倒や撓み変形が起きにくい支柱や、支柱上端部に線状物を張架しやすいく、かつ線状物が脱落しにくい支柱等について既にいくつか提案をしている。例えば、特許文献１には、二層構造や三層構造の中空パイプの上方開口部に栓を取りつけ、下方開口部に尖塔部を取りつけて支柱とし、この中空パイプ曲げ剛性が１２２０×１０７Ｎ・ｍ２〜１９６００×１０７Ｎ・ｍ２である支柱等が開示されている。
【０００４】
一方、特許文献２には、植物育成する網を支持する支柱として、網を構成する紐を収容して支持し得るように内部に幅方向に延在する網収容部と、網収容部の上縁部に沿って支持支柱の幅方向に延び網収容部に紐を導入し得るように網収容部と支持支柱の外形とを連通させる開口部を備えており、この開口部が正面視曲折形状に形成された支柱等が開示されている。
【０００５】
【特許文献１】特開２００４−１４１１５７号公報。
【特許文献２】特開２００６−１２９７７３号公報。
【発明の開示】
【発明が解決しようとする課題】
【０００６】
しかし、農園芸用支柱では、支柱に張架させた線状物の荷重によって傾倒したり変形したりする問題等について、更に改善されることが望まれる。そこで、本発明は、かかる問題を解決しうる農園芸用支柱を提供することを主な目的とする。
【課題を解決するための手段】
【０００７】
まず、本発明は、植物を巻きつかせた線状物を支持する農園芸用支柱であって、植物を巻きつかせる第１線状物を収納する収納部が、正面視、支柱の中心軸をはさんで対向するように２つ設けられるとともに、他の支柱とを繋げる第２線状物を結びつける凹溝が支柱の側面に設けられ、収納部には、第１線状物を収納する深溝部と、この深溝部に第１線状物を導入するガイド部と、深溝部に収納された第１線状物の脱落を防止する突起部と、が少なくとも設けられた農園芸用支柱を提供する。このような農園芸用支柱とすることで、線状物の荷重や風圧等の外力によって起こりうる支柱自身の傾倒や線状物の脱落を防止できる。また、収納部を支柱の中心軸をはさんで対向するように２つ設けることで、好適な側の収納部に第１線状物を支持させることができる。
そして、本発明は、収納部は、正面視、Γ（ガンマ）字状であり、第１線状物を導入するガイド部の天面は平面である農園芸用支柱を提供する。このような形状とすることで、収納部に収納された第１線状物の脱落をより効果的に防止でき、第１線状物を取り出すときには部材が磨耗することなく容易に取り出すことができる。
また、本発明は、凹溝が、上面視、第１線状物の支持方向に対して、略直交するように形成された農園芸用支柱を提供する。続いて、本発明は、収納部と凹溝とが少なくとも設けられた熱可塑性樹脂からなる頭部と、樹脂からなる中空パイプと、樹脂からなる尖塔部と、からなる農園芸用支柱を提供する。
【発明の効果】
【０００８】
本発明によれば、支柱に張架する線状物による荷重や、風圧等による外力によって、支柱自身が傾倒したり磨耗変形したりし難く、線状物が脱落することが起き難い農園芸用支柱とすることができる。
【発明を実施するための最良の形態】
【０００９】
以下、添付図面に基づいて、本発明に係る農園芸用支柱の好適な実施形態について説明する。なお、添付図面に示された各実施形態は、本発明に係わる代表的な実施形態の一例を示したものであり、これにより本発明の範囲が狭く解釈されることはない。なお、以下に使用する図面では、説明の便宜上、支柱の構成等については簡素化して示している。
【００１０】
図１は、本発明に係る農園芸用支柱の第１実施形態の簡略斜視図である。図２は、同実施形態の頭部１１を図１のＡ−Ａ´線で正面視した図である。図３は、同実施形態の頭部１１を図１のＢ−Ｂ´線で側面視した図である。図４は、同実施形態の頭部１１の一部を図２のＣ−Ｃ´線で断面下方視した図である。図５は、同実施形態の頭部１１の下面図である。
【００１１】
図１中の符号１は、本発明に係る農園芸用支柱を示している。この農園芸用支柱１のサイズや層構造は、本発明の目的に沿う範囲で適宜に設計又は変更可能である。農園芸用支柱１は、頭部１１と、中空パイプ１２と、尖塔部１３とを備えている。頭部１１と中空パイプ１２と尖塔部１３は別体の部材である。頭部１１を中空パイプ１２の上方開口部に装着し、尖塔部１３を中空パイプ１２の下方開口部に装着することで、農園芸用支柱１とすることができる。
【００１２】
この農園芸用支柱１は、蔓性植物等を巻きつけた第１線状物を張架する（「縦張り」ともいう。）。そして、他の農園芸用支柱１とを繋ぐ第２線状物を張架する（「横張り」ともいう。）。    
【００１３】
本発明では、頭部１１と中空パイプ１２と尖塔部１３を一体化して農園芸用支柱１としている。頭部１１と中空パイプ１２と尖塔部１３を接着剤や熱融着等で強固に固定している。また、本発明は、頭部１１において各線状物を支持するものであるが、好適なパイプ長の中空パイプ１２に頭部１１を挿着することで、使用環境を考慮した好適な農園芸用支柱１とすることができる。
【００１４】
頭部１１は、植物を巻きつかせた第１線状物Ｍを収納可能な収納部１１１、１１１と、他の支柱と繋げる第２線状物を結びつける凹溝１１２と、接続部１１３と、を備えている。本発明では、収納部１１１、１１１を、農園芸用支柱１の中心軸Ｌをはさんで対向するように２つ設けることで、第１線状物の施工時に廻り込み作業の防止を図っていることを特徴の一とする。なお、２つの収納部１１１、１１１のうちの所望する方に第１線状物Ｍを収納させ得るものであり、必ずしも収納部１１１、１１１の両方に第１線状物Ｍ、Ｍを収納させることを必須とするものではない。
【００１５】
収納部１１１は、第１線状物Ｍを収納する深溝部１１１ａと、この深溝部１１１ａへ第１線状物Ｍを導入するガイド部１１１ｂと、第１線状物Ｍの脱落を防止する突起部１１１ｃを備えている。第１線状物Ｍはガイド部１１１ｂを経由して深溝部１１１ａへと収納される（図２の矢印参照）。深溝部１１１ａは支柱軸方向に対して底が深くなっているため、第１線状物Ｍをより安定に収納できる。
【００１６】
そして、野外において第１線状物Ｍの張架した際に、第１線状物Ｍ自身の荷重によるたわみや風等の外力によって、深溝部１１１ａから第１線状物Ｍが脱落してしまうおそれがあった。これに関して、突起部１１１ｃを設けることで第１線状物Ｍの飛び出しを効果的に防止できる。
【００１７】
第１線状物Ｍの支持は、深溝部１１１ａだけでなく突起部１１１ｃを設けることで、第１線状物を安定して支持することができる。２つの収納部１１１、１１１を支柱中心軸Ｌをはさんで対向するように設け、かつ夫々の収納部１１１に突起部１１１ｃを設けることで、線状物の荷重や風圧等の外力による支柱自身の傾倒や磨耗や損傷を防止できる。そして、支持された線状物が農園芸用支柱１から脱落することも防止できる。
【００１８】
また、収納部１１１を対向するように２つ設けることで、どちらか一方、例えば、施工時の作業性の良い方に第１線状物Ｍを張架させることができる。その結果、複数の支柱に支持させる際に同一側で作業することができる。支柱に線状物を支持させる施工作業容易性にも貢献することができる。
【００１９】
突起部１１１ｃの形状は限定されないが、好適には、深溝部１１１ａの壁面に設けられ、農園芸用支柱１に対して正面断面視、上方から下方にむけて広がるテーパーがつけられた突起部１１１ｃであることが望ましい。より好適には、正面視、略直角三角形状の突起部であることが望ましい（図２参照）。
【００２０】
また、突起部１１１ｃの下端部が、深溝部１１１ａの深さＬ１の１／２以下に位置することが望ましい。即ち、突起部１１１ｃの下端部から深溝部１１１ａの底面までの深さＬ２は、深溝部１１１ａの深さＬ１の１／２以下であることが望ましい。深溝部１１１ａの深さの略真ん中よりも下方の領域で第１線状物Ｍを収納することで、使用時における第１線状物Ｍの飛び出し（脱落）をより効果的に防止できる（図２の拡大領域参照）。
【００２１】
より好適には、深溝部１１１ａと突起部１１１ｃとの間の空間には所定の遊びを設けることが望ましい。この遊びは、深溝部１１１ａの深さ方向と水平方向の少なくともいずれかについての遊びである。この遊びを設けることで、第１線状物Ｍを深溝部１１１ａに収納した際に、風等の外力によって撓んだりした場合に生じる力を緩和することができる。
【００２２】
更に、この収納部１１１の形状は、正面視（図２参照）、Γ（ガンマ）字状であり、側面視（図３参照）、ガイド部１１１ｂの天面を略平面とすることが望ましい。蔓性植物等を巻きつけた第１線状物Ｍを支持する農園芸用支柱１では、第１線状物Ｍが脱落し難いことだけでなく、第１線状物Ｍを取り外す際には容易に作業できることが望まれる。このような形状とすることで、第１線状物Ｍを長期にわたって安定して支持できるとともに、取り外しの際には第１線状物Ｍを農園芸用支柱１からガイド部１１１ｂを経て容易に取り外すことができる。
【００２３】
凹溝１１２に第２線状物（図示せず）を結びつけることで、第２線状物を頭部１１に支持させることができる。この凹溝１１２は、頭部１１（農園芸用支柱１）の側面に設けられている。凹溝１１２の形状等は限定されないが、好適には、支柱中心軸Ｌをはさんで対向するように２箇所に形成することが望ましい（図３参照）。更に好適には、この凹溝１１２、１１２は、上面視、第１線状物の支持方向に対して略直交するように形成することが望ましい。また、凹溝１１２に第２線状物Ｎを結びつける際は、作業環境等に応じて、任意の結び付け方によって凹溝１１２に第２線状物Ｎを結びつけることができるが、好適には、第２線状物Ｎの結び目等を形成することで脱落防止を施すことが望ましい（図６参照）。
【００２４】
収納部１１１と凹溝１１２のより好適な形状について説明すると、正面視（図２）した状態で収納部１１１は支柱中心軸Ｌをはさんで対向するように２つ形成されるとともに、側面視（図３）した状態で凹溝１１２は支柱中心軸をはさんで対向するように２箇所に形成されることが望ましい。これにより、第１線状物（縦張り）と第２線状物（横張り）とを上面視直交するように容易に張架できる。
【００２５】
接続部１１３を中空パイプ１２の上方開口部から圧挿入することで、頭部１１を中空パイプ１２と一体とすることができる。接続部１１３には、溝部１１３ａを外周に所定間隔に形成することが望ましい。これにより、接着剤を用いる際に接着剤をこの溝部１１３ａに保持させることができるため、より強固に一体化することができる。
【００２６】
中空パイプ１２は、頭部１１と尖塔部１３とを装着可能な形状であればよく、その構造や種類は適宜に選択決定でき、例えば、合成樹脂製とすることができる。好適には、熱可塑性樹脂からなる内層と、繊維強化熱硬化性樹脂からなる中間層と、熱可塑性樹脂からなる被覆層と、からなる三層構造の合成樹脂製中空パイプ、繊維強化熱硬化性樹脂からなる内層と、熱可塑性樹脂からなる外層とからなる二層構造の合成樹脂製の中空パイプ、又は、繊維強化熱硬化性樹脂の単独中空パイプ等を採用できる。このような、合成樹脂製の中空パイプは、鋼管等の金属製パイプに比して軽量でありながら、優れた剛性である点等において好適である。
【００２７】
例えば、内層や被覆層としては、ＡＢＳ樹脂等の熱可塑性樹脂を用いることができる。また、中間層を用いる場合、スチレン等を架橋成分とする不飽和ポリエステル樹脂を用いることができ、また、補強用繊維としてはガラス繊維、炭素繊維、芳香族ポリアミド繊維、ポリエステル繊維、ビニロン繊維等に加えて、ＦＲＰに通常用いられ得る他の繊維を用いることができる。
【００２８】
特に、中間層を用いる場合であれば、内層と被覆層にＡＢＳ樹脂等を用い、中間層にスチレンを架橋成分とする不飽和ポリエステル樹脂等を用いることで、未硬化状態において良好な相溶性が得られ、加熱硬化後は３層を極めて強固に接着接合させることができる。これにより、外力に対して三層構造が協働して優れた強力、剛性を発揮することができる。
【００２９】
尖塔部１３は、地中に差し込むため等に供するものであり、下方に向けて徐々に尖った形状であればよく、テーパーの形状や角度等は適宜に選択決定できる。これにより、容易に地中に差し込むことができる。
【００３０】
図６は、農園芸用支柱１の使用状態の一部簡略斜視図である。図７は、農園芸用支柱１を複数用いて、第１線状物Ｍと第２線状物Ｎを張架した状態の簡略上面図である。
【００３１】
図６は、農園芸用支柱１に第１線状物Ｍと第２線状物Ｎとを支持させた状態を示している。第１線状物Ｍの支持方向と、第２線状物Ｎの支持方向とが、略直交するように張架した状態である。
【００３２】
農園芸用支柱１の立設方法は、従来の農園芸用支柱と同様に行うことができる。特に、農園芸用支柱１の頭部１１の天面が略平面であるため、これをハンマー等で打設することも可能である。
【００３３】
図７は、農園芸用支柱１を複数立設し、これに第１線状物Ｍと第２線状物Ｎを互いに直交するように張架した状態を示している。図７では、第１線状物Ｍを縦方向に張り（縦張り）、第２線状物Ｎを用いて各農園芸用支柱１を繋げている（横張り）状態である。
【００３４】
施工手順としては、まず、農園芸用支柱１を地面に夫々立設する。次いで、夫々の農園芸用支柱１の凹溝１１２に第２線状物Ｎを結び付けて脱落防止を図ることで、農園芸用支柱１同士を繋げる（横張り）ことができる。そして、植物を巻きつかせた第１線状物Ｍを、夫々の農園芸用支柱１の収納部１１１に収納して支持させる（縦張り）。その際、１本の農園芸用支柱１に２つの収納部１１１、１１１が形成されているので、そのうちの好適な側の収納部１１１に第１線状物Ｍを支持させることができる。
【００３５】
このようにして農園芸用支柱１に線状物を支持させることで、線状物の荷重や風圧等の外力によって起こりうる農園芸用支柱１自身の傾倒や磨耗や変形を防止できる。そして、支持された第１線状物Ｍが農園芸用支柱１から脱落することを防止できる。また、複数の立設された農園芸用支柱１に第１線状物Ｍを支持させる際には、線状物に対して同一側で支持させていくことができる。
【図面の簡単な説明】
【００３６】
【図１】本発明に係る農園芸用支柱の第１実施形態の簡略斜視図である。
【図２】同実施形態の頭部を図１のＡ−Ａ´線で正面視した図である。
【図３】同実施形態の頭部を図１のＢ−Ｂ´線で側面視した図である。
【図４】同実施形態の頭部の一部を図２のＣ−Ｃ´線で断面下方視した図である。
【図５】同実施形態の頭部の下面図である。
【図６】農園芸用支柱１の使用状態の一部簡略斜視図である。
【図７】農園芸用支柱１を複数用いて第１線状物Ｍと第２線状物Ｎを張架した状態の簡略上面図である。
【符号の説明】
【００３７】
１  農園芸用支柱
１１  頭部
１２  中空パイプ
１３  尖塔部
１１１  収納部
１１１ａ  深溝部
１１１ｂ  ガイド部
１１１ｃ  突起部
１１２  凹溝
１１３  接続部
【図１】
0004954910.tif 000002
【図２】
0004954910.tif 000003
【図３】
0004954910.tif 000004
【図４】
0004954910.tif 000005
【図５】
0004954910.tif 000006
【図６】
0004954910.tif 000007
【図７】
0004954910.tif 000008